【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
衝撃波を生成するためのデバイスであって、該デバイスは、
細長いチューブと、
該細長いチューブの周りに周方向に取り付けられた伝導性シースと、
該伝導性シースを囲む部材であって、該部材は、伝導性流体で充填可能である、部材と、
該細長いチューブの外側表面に沿って延びている第１の絶縁ワイヤであって、該第１の絶縁ワイヤの一部分は、第１の内側電極を形成するために除去され、該第１の内側電極は、該伝導性シースの第１の側縁と隣り合う、第１の絶縁ワイヤと、
該細長いチューブの外側表面に沿って延びている第２の絶縁ワイヤであって、該第２の絶縁ワイヤの一部分は、第２の内側電極を形成するために除去され、第２の内側電極は、該伝導性シースの第２の側縁と隣り合う、第２の絶縁ワイヤと
を備え、
該第１の内側電極および該第２の内側電極にわたって高電圧が印加されたとき、電流は、該第１のワイヤから該伝導性シースの該第１の側縁へ、そして、該伝導性シースの該第２の側縁から該第２のワイヤへ流れるように構成され、
第１の衝撃波は、該伝導性シースの該第１の側縁および該第１の内側電極にわたって作られ、
第２の衝撃波は、該伝導性シースの該第２の側縁および該第２の内側電極にわたって作られる、デバイス。
【請求項２】
前記第１の側縁および前記第２の側縁は、前記シースの同じ側縁である、請求項１に記載のデバイス。
【請求項３】
前記第１の側縁および前記第２の側縁は、前記シースの異なる側縁である、請求項１に記載のデバイス。
【請求項４】
前記細長いチューブは、該細長いチューブの長さに沿って第１の溝と第２の溝とを含み、前記第１のワイヤの少なくとも一部分は、該第１の溝内に配置され、前記第２のワイヤの少なくとも一部分は、該第２の溝内に配置される、請求項１に記載のデバイス。
【請求項５】
前記第１のワイヤを前記細長いチューブに固定するために該第１のワイヤの一部分の周りを包む第１の管材の断片と、前記第２のワイヤを該細長いチューブに固定するために該第２のワイヤの一部分の周りを包む第２の管材の断片とをさらに備える、請求項１に記載のデバイス。
【請求項６】
前記第１の絶縁ワイヤは、該第１の絶縁ワイヤの長さの周りを包む絶縁層を備え、前記第１のワイヤの前記遠位端は、前記第１の内側電極を形成するために該絶縁層から露出させられる、請求項１に記載のデバイス。
【請求項７】
前記第１の絶縁ワイヤは、該第１の絶縁ワイヤの周りを包む絶縁層を備え、該絶縁層のストリップは、前記第１の内側電極を形成するために除去される、請求項１に記載のデバイス。
【請求項８】
前記シースの前記第１の側縁および前記第２の側縁は、直線縁である、請求項１に記載のデバイス。
【請求項９】
前記伝導性シースの前記第１の側縁は、第１の弓状切り抜きを備え、該伝導性シースの前記第２の側縁は、第２の弓状切り抜きを備え、前記第１の衝撃波は、該伝導性シースの該第１の側縁上の該第１の弓状切り抜きおよび前記第１の内側電極にわたって作られ、前記第２の衝撃波は、該伝導性シースの該第２の側縁上の該第２の弓状切り抜きおよび前記第２の内側電極にわたって作られる、請求項１に記載のデバイス。
【請求項１０】
前記第１の弓状切り抜きは、前記第２の弓状切り抜きから周方向に１８０度のところに位置付けられる、請求項９に記載のデバイス。
【請求項１１】
前記第１の衝撃波および前記第２の衝撃波は、前記第１のワイヤの近位端および前記第２のワイヤの近位端に電圧が印加されたことに応答して開始される、請求項１に記載のデバイス。
【請求項１２】
前記伝導性シースは、第１の伝導性シースであり、前記デバイスは、
前記細長いチューブの周りに周方向に取り付けられた第２の伝導性シースと、
該細長いチューブの外側表面に沿って延びている絶縁共通接地ワイヤであって、前記第２の絶縁ワイヤの別の部分は、該第２のシースの第１の側縁と隣り合う第３の内側電極を形成するために除去され、該絶縁共通接地ワイヤの一部分は、該第２のシースの前記第２の側縁と隣り合う第４の内側電極を形成するために除去される、絶縁共通接地ワイヤと
をさらに備え、
高電圧が前記第１の絶縁ワイヤおよび該絶縁共通接地ワイヤにわたって印加されたとき、電流は、該第１のワイヤから該第１の伝導性シースの該第１の側縁へ、該第１の伝導性シースの該第２の側縁から該第２のワイヤへ、該第２のワイヤから該第２の伝導性シースの該第１の側縁へ、そして、該第２の伝導性シースの該第２の側縁から該絶縁共通接地ワイヤへ、流れるように構成され、
第３の衝撃波は、該第２の伝導性シースの該第１の側縁および前記第３の内側電極にわたって作られ、
第４の衝撃波は、第２の伝導性シースの該第２の側縁および前記第４の内側電極にわたって作られる、請求項１に記載のデバイス。
【請求項１３】
前記共通接地ワイヤは、第１の直線部分と、湾曲部分と、第２の直線部分とを備え、該第１の直線部分および該第２の直線部分は、前記細長いチューブの２つの異なる溝に配置される、請求項１２に記載のデバイス。
【請求項１４】
前記部材は、バルーンである、請求項１に記載のデバイス。
【請求項１５】
衝撃波を生成するためのデバイスであって、該デバイスは、
細長いチューブと、
各々が該細長いチューブの周りに周方向に取り付けられた、第１の伝導性シースと、第２の伝導性シースと、第３の伝導性シースと、
該第１、第２、および第３の伝導性シースを囲む部材であって、該部材は、伝導性流体で充填可能である、部材と、
各々が該細長いチューブの外側表面に沿って延びている、第１の絶縁ワイヤと、第２の絶縁ワイヤと、第３の絶縁ワイヤと、絶縁共通接地ワイヤと
を備え、
該第１の絶縁ワイヤの一部分は、第１の内側電極から除去され、
該第２の絶縁ワイヤの２つの部分は、第２の内側電極および第３の内側電極から除去され、
該第３の絶縁ワイヤの２つの部分は、第４の内側電極および第５の内側電極から除去され、
該絶縁共通接地ワイヤの一部分は、第６の内側電極から除去され、
高電圧が該第１のワイヤおよび該絶縁共通接地ワイヤにわたって印加されたとき、電流は、
該第１のワイヤから該第１の導電性シースの第１の側縁へ、
該第１の伝導性シースの第２の側縁から該第２のワイヤへ、
該第２のワイヤから該第２の伝導性シースの第１の側縁へ、
該第２の伝導性シースの第２の側縁から該第３のワイヤへ、
該第３のワイヤから該第３の伝導性シースの第１の側縁へ、
該第３の伝導性シースの第２の側縁から該絶縁共通接地ワイヤへ
流れるように構成され、
第１の衝撃波は、該第１の伝導性シースの該第１の側縁および該第１の内側電極にわたって作られ、
第２の衝撃波は、該第１の伝導性シースの該第２の側縁および該第２の内側電極にわたって作られ、
第３の衝撃波は、該第２の伝導性シースの該第１の側縁および該第３の内側電極にわたって作られ、
第４の衝撃波は、第２の伝導性シースの該第２の側縁および第４の内側電極にわたって作られ、
第５の衝撃波は、該第３の伝導性シースの該第１の側縁および該第５の内側電極にわたって作られ、
第６の衝撃波は、該第３の伝導性シースの第２の側縁および該第６の内側電極にわたって作られる、デバイス。
【請求項１６】
前記第３の伝導性シースの前記第１の側縁および前記第２の側縁は、同じ側縁である、請求項１５に記載のデバイス。
【請求項１７】
前記第１の伝導性シースの前記第１の側縁および前記第２の側縁は、異なる側縁である、請求項１５に記載のデバイス。
【請求項１８】
前記第２のワイヤは、第１の直線部分と、湾曲部分と、第２の直線部分とを備え、該第１の直線部分および該第２の直線部分は、前記細長いチューブの２つの異なる溝に配置される、請求項１５に記載のデバイス。
【請求項１９】
前記第１の衝撃波は、前記第１の伝導性シースの前記第１の側縁上の弓状切り抜きおよび前記第１の内側電極にわたって作られ、
前記第３の衝撃波は、前記第２の伝導性シースの前記第１の側縁上の弓状切り抜きおよび前記第３の内側電極にわたって作られ、
該第１の伝導性シースの該第１の側縁の該弓状切り抜きは、該第２の伝導性シースの該第１の側縁上の該弓状切り抜きから周方向に９０度のところに位置付けられる、請求項１５に記載のデバイス。
【請求項２０】
衝撃波を生成するためのデバイスであって、該デバイスは、
細長いチューブと、
各々が該細長いチューブの周りに周方向に取り付けられた、第１の伝導性シースと、第２の伝導性シースと、第３の伝導性シースと、第４の伝導性シースと、
各々が該細長いチューブの外側表面に沿って延びている、第１の絶縁ワイヤと、第２の絶縁ワイヤと、第３の絶縁ワイヤと、第４の絶縁ワイヤと、絶縁共通接地ワイヤとを備え、
該第１の絶縁ワイヤの一部分は、第１の内側電極を形成するために除去され、
該第２の絶縁ワイヤの２つの部分は、第２の内側電極および第３の内側電極を形成するために除去され、
該第３の絶縁ワイヤの一部分は、第５の内側電極を形成するために除去され、
該第４の絶縁ワイヤの２つの部分は、第６の内側電極および第７の内側電極を形成するために除去され、
該絶縁共通接地ワイヤの２つの部分は、第４の内側電極および第８の内側電極を形成するために除去され、
該第１のワイヤおよび該絶縁共通接地ワイヤにわたって高電圧が印加されたとき、第１の電流は、
該第１の伝導性シースの第１の側縁および該第１の内側電極にわたって第１の衝撃波を生成するために該第１のワイヤから該第１の伝導性シースの該第１の側縁へ、
該第１の伝導性シースの第２の側縁および該第２の内側電極にわたって第２の衝撃波を生成するために該第１の伝導性シースの該第２の側縁から該第２のワイヤへ、
該第２の伝導性シースの第１の側縁および該第３の内側電極にわたって第３の衝撃波を生成するために該第２のワイヤから該第２の伝導性シースの該第１の側縁へ、
該第２の伝導性シースの第２の側縁および該第４の内側電極にわたって第４の衝撃波を生成するために該第２の伝導性シースの第２の側縁から該絶縁共通接地ワイヤへ
流れるように構成され、
該第３のワイヤおよび該絶縁共通接地ワイヤにわたって高電圧が印加されたとき、第２の電流は、
該第３の伝導性シースの第１の側縁および該第５の内側電極にわたって第５の衝撃波を生成するために該第３の絶縁ワイヤから該第３の伝導性シースの該第１の側縁へ、
該第３の伝導性シースの第２の側縁および該第６の内側電極にわたって第６の衝撃波を生成するために該第３の伝導性シースの該第２の側縁から該第４の絶縁ワイヤへ、
該第４の伝導性シースの第１の側縁および該第７の内側電極にわたって第７の衝撃波を生成するために該第４の絶縁ワイヤから該第４の伝導性シースの該第１の側縁へ、
該第４の伝導性シースの第２の側縁および該第８の内側電極にわたって第８の衝撃波を生成するために該第４の伝導性シースの該第２の側縁から該絶縁共通接地ワイヤへ
流れるように構成される、デバイス。
【請求項２１】
前記第１の伝導性シースの前記第１の側縁および前記第２の側縁は、異なる側縁である、請求項２０に記載のデバイス。
【請求項２２】
前記第４の伝導性シースの前記第１の側縁および前記第２の側縁は、同じ側縁である、請求項２０に記載のデバイス。
【請求項２３】
患者の血管中の石灰化病変を治療するためのデバイスであって、
ガイドワイヤ管腔を有する細長いチューブであって、前記ガイドワイヤ管腔は、前記チューブを通して延びており、前記チューブの開放遠位端において終結する、細長いチューブと、
前記チューブの前記遠位端に密封され、伝導性流体で充填可能である、血管形成術バルーンと、
前記血管形成術バルーン内において前記チューブの長さに沿って横方向に広げられた２つの衝撃波生成ステーションと
を備え、
各衝撃波生成ステーションは、前記チューブの周りに取り付けられた円筒形伝導性シースを含み、各シースは、前記チューブの外側表面と前記シースの内側表面との間に前記シースを通して通過する少なくとも２つの絶縁ワイヤを有し、各ワイヤは、電極を規定するために除去された絶縁の一部を有し、各電極は、電圧が前記ワイヤにわたって印加されるように、前記伝導性シースの側縁に隣接して位置し、各衝撃波生成ステーションは、２つの衝撃波を生成する、デバイス。
【請求項２４】
伝導性シースと関連付けされた前記２つの電極は、前記伝導性シースの同じ側縁上に位置し、周方向にオフセットされる、請求項２３に記載のデバイス。
【請求項２５】
伝導性シースと関連付けされた前記２つの電極は、前記伝導性シースの反対の側縁上に位置する、請求項２３に記載のデバイス。
【請求項２６】
前記２つの電極は、周方向にオフセットされる、請求項２５に記載のデバイス。
【請求項２７】
第１の絶縁ワイヤは、前記伝導性シースの両方を通して延びている、請求項２３に記載のデバイス。
【請求項２８】
第１の絶縁ワイヤは、前記伝導性シースの両方を通して延びており、電圧供給源の第１の端子に接続可能である、請求項２３に記載のデバイス。
【請求項２９】
第２の絶縁ワイヤは、両方の伝導性シース通して延びており、第３の絶縁ワイヤは、１つのシースを通して延びている一方の端と、前記電圧供給源の第２の端子に接続可能なもう一方の端とを有する、請求項２８に記載のデバイス。
【請求項３０】
前記チューブは、前記絶縁ワイヤを受け取るための１つ以上の溝を含む、請求項２３に記載のデバイス。
【請求項３１】
前記シースの前記側縁は、直線縁である、請求項２３に記載のデバイス。
【請求項３２】
前記シースの前記側縁は、前記電極に隣接する１つ以上の切り抜きを含む、請求項２３に記載のデバイス。
【請求項３３】
前記切り抜きは、構成において弓状である、請求項３２に記載のデバイス。
【請求項３４】
シースの側縁上の第１の切り抜きは、シースの側縁上の第２の切り抜きから周方向に１８０度で位置付けられる、請求項３３に記載のデバイス。
【請求項３５】
前記第１および第２の切り抜きは、前記シースの反対の側縁上にある、請求項３４に記載のデバイス。
【請求項３６】
患者の血管中の石灰化病変を治療するためのデバイスであって、
ガイドワイヤ管腔を有する細長いチューブであって、前記ガイドワイヤ管腔は、前記チューブを通して延びており、前記チューブの開放遠位端において終結する、細長いチューブと、
前記チューブの前記遠位端に密封され、伝導性流体で充填可能である、血管形成術バルーンと、
前記血管形成術バルーン内において前記チューブの長さに沿って横方向に広げられた２つの衝撃波生成ステーションと
を備え、
各衝撃波生成ステーションは、前記チューブの周りに取り付けられた円筒形伝導性シースを含み、各シースは、前記チューブの外側表面と前記シースの内側表面との間に前記シースを通して通過する少なくとも２つの絶縁ワイヤを有し、各ワイヤは、電極を規定するために除去された絶縁の一部を有し、各電極は、前記伝導性シースの側縁に隣接して位置し、第１の絶縁ワイヤが、電圧供給源の一方の極から両方のシースを通して進み、第２の絶縁ワイヤが、前記電圧供給源のもう一方の極から第１のシースへ進み、第３の絶縁ワイヤが、前記第１のシースおよび第２のシースを通して進む、デバイス。
【請求項３７】
伝導性シースと関連付けされた前記２つの電極は、前記伝導性シースの同じ側縁上に位置し、周方向にオフセットされる、請求項３６に記載のデバイス。
【請求項３８】
伝導性シースと関連付けされた前記２つの電極は、前記伝導性シースの反対の側縁上に位置し、周方向にオフセットされる、請求項３６に記載のデバイス。
【請求項３９】
前記シースの前記側縁は、前記電極に隣接する１つ以上の弓状切り抜きを含む、請求項３６に記載のデバイス。
【請求項４０】
患者の血管中の石灰化病変を治療するためのデバイスであって、
ガイドワイヤ管腔を有する細長いチューブであって、前記ガイドワイヤ管腔は、前記チューブを通して延びており、前記チューブの開放遠位端において終結する、細長いチューブと、
前記チューブの前記遠位端に密封され、伝導性流体で充填可能である、血管形成術バルーンと、
前記血管形成術バルーン内において前記チューブの長さに沿って横方向に広げられた第１、第２、第３、および第４の衝撃波生成ステーションであって、各衝撃波生成ステーションは、前記チューブの周りに取り付けられた円筒形伝導性シースを含み、各シースは、前記チューブの外側表面と前記シースの内側表面との間に前記シースを通して通過する少なくとも２つの絶縁ワイヤを有し、各ワイヤは、電極を規定するために除去された絶縁の一部を有し、各電極は、前記伝導性シースの側縁に隣接して位置する、第１、第２、第３、および第４の衝撃波生成ステーションと、
電源と、
（ａ）前記第１および第２の衝撃波生成ステーション両方を含む第１のチャネル、および（ｂ）前記第３および第４の衝撃波生成ステーションを含む第２のチャネルに前記電源を選択的に接続するためのマルチプレクサであって、電圧が前記電源から前記選択されたチャネルを通して受け取られるとき、各衝撃波生成ステーションは、２つの衝撃波を生成する、マルチプレクサと
を備える、デバイス。
【請求項４１】
前記第１および第２のチャネル両方は、共通ワイヤを共有する、請求項４０に記載のデバイス。
【請求項４２】
前記共通ワイヤは、前記電源の接地端子に接続される、請求項４１に記載のデバイス。
【請求項４３】
前記シースの前記側縁は、前記電極に隣接する１つ以上の弓状切り抜きを含む、請求項４０に記載のデバイス。
【手続補正２】
【補正対象書類名】明細書
【補正対象項目名】０００８
【補正方法】変更
【補正の内容】
【０００８】
いくつかの実施形態において、衝撃波を生成するためのデバイスは、細長いチューブと、４つの伝導性シースを備え、各々は、細長いチューブの周りに周方向に取り付けられる。デバイスは、第１の絶縁ワイヤと、第２の絶縁ワイヤと、第３の絶縁ワイヤと、第４の絶縁ワイヤと、絶縁共通接地ワイヤとさらに備え、各々は、細長いチューブの外表面に沿って延びている。第１の絶縁ワイヤの一部分は、第１の内側電極を形成するために除去され；第２の絶縁ワイヤの２つの部分は、第２の内側電極と第３の内側電極とを形成するために除去され；第３の絶縁ワイヤの一部分は、第５の内側電極とを形成するために除去され；第４の絶縁ワイヤの２つの部分は、第６の内側電極と第７の内側電極とを形成するために除去され；絶縁共通接地ワイヤの２つの部分は、第４の内側電極と第８の内側電極とを形成するために除去される。第１のワイヤおよび絶縁共通接地ワイヤにわたって高電圧が印加されたとき、第１の電流は、第１の伝導性シースの第１の側縁および第１の内側電極にわたって第１衝撃波を生成するために第１のワイヤから第１の伝導性シースの第１の側縁へ、第１の伝導性シースの第２の側縁および第２の内側電極にわたって第２の衝撃波を生成するために第１の伝導性シースの第２の側縁から第２のワイヤへ、第２の伝導性シースの第１の側縁および第３の内側電極にわたって第３の衝撃波を生成するために第２のワイヤから第２の伝導性シースの第１の側縁へ、第２の伝導性シースの第２の側縁および第４の内側電極にわたって第４の衝撃波を生成するために第２の伝導性シースの第２の側縁から絶縁共通接地ワイヤへ、流れるように、構成されている。第３のワイヤおよび絶縁共通接地ワイヤにわたって高電圧が印加されたとき、第２の電流は、第３の伝導性シースの第１の側縁および第５の内側電極にわたって第５の衝撃波を生成するために第３の絶縁ワイヤから第３の伝導性シースの第１の側縁へ、第３の伝導性シースの第２の側縁および第６の内側電極にわたって第６の衝撃波を生成するために第３の伝導性シースの第２の側縁から第４の絶縁ワイヤへ、第４の伝導性シースの第１の側縁および第７の内側電極にわたって第７の衝撃波を生成するために第４絶縁ワイヤから第４の伝導性シースの第１の側縁へ、第４の伝導性シースの第２の側縁および第８の内側電極にわたって第８の衝撃波を生成するために第４の伝導性シースの第２の側縁から絶縁共通接地ワイヤへ、流れるように、構成されている。
本願明細書は、例えば、以下の項目も提供する。
（項目１）
衝撃波を生成するためのデバイスであって、該デバイスは、
細長いチューブと、
該細長いチューブの周りに周方向に取り付けられた伝導性シースと、
該細長いチューブの外側表面に沿って延びている第１の絶縁ワイヤであって、該第１の絶縁ワイヤの一部分は、第１の内側電極を形成するために除去され、該第１の内側電極は、該伝導性シースの第１の側縁と隣り合う、第１の絶縁ワイヤと、
該細長いチューブの外側表面に沿って延びている第２の絶縁ワイヤであって、該第２の絶縁ワイヤの一部分は、第２の内側電極を形成するために除去され、第２の内側電極は、該伝導性シースの第２の側縁と隣り合う、第２の絶縁ワイヤと
を備え、
該第１の内側電極および該第２の内側電極にわたって高電圧が印加されたとき、電流は、該第１のワイヤから該伝導性シースの該第１の側縁へ、そして、該伝導性シースの該第２の側縁から該第２のワイヤへ流れるように構成され、
第１の衝撃波は、該伝導性シースの該第１の側縁および該第１の内側電極にわたって作られ、
第２の衝撃波は、該伝導性シースの該第２の側縁および該第２の内側電極にわたって作られる、デバイス。
（項目２）
前記第１の側縁および前記第２の側縁は、前記シースの同じ側縁である、項目１に記載のデバイス。
（項目３）
前記第１の側縁および前記第２の側縁は、前記シースの異なる側縁である、項目１に記載のデバイス。
（項目４）
前記細長いチューブは、該細長いチューブの長さに沿って第１の溝と第２の溝とを含み、前記第１のワイヤの少なくとも一部分は、該第１の溝内に配置され、前記第２のワイヤの少なくとも一部分は、該第２の溝内に配置される、項目１に記載のデバイス。
（項目５）
前記第１のワイヤを前記細長いチューブに固定するために該第１のワイヤの一部分の周りを包む第１の管材の断片と、前記第２のワイヤを該細長いチューブに固定するために該第２のワイヤの一部分の周りを包む第２の管材の断片とをさらに備える、項目１に記載のデバイス。
（項目６）
前記第１の絶縁ワイヤは、該第１の絶縁ワイヤの長さの周りを包む絶縁層を備え、前記第１のワイヤの前記遠位端は、前記第１の内側電極を形成するために該絶縁層から露出させられる、項目１に記載のデバイス。
（項目７）
前記第１の絶縁ワイヤは、該第１の絶縁ワイヤの周りを包む絶縁層を備え、該絶縁層のストリップは、前記第１の内側電極を形成するために除去される、項目１に記載のデバイス。
（項目８）
前記シースの前記第１の側縁および前記第２の側縁は、直線縁である、項目１に記載のデバイス。
（項目９）
前記伝導性シースの前記第１の側縁は、第１の弓状切り抜きを備え、該伝導性シースの前記第２の側縁は、第２の弓状切り抜きを備え、前記第１の衝撃波は、該伝導性シースの該第１の側縁上の該第１の弓状切り抜きおよび前記第１の内側電極にわたって作られ、前記第２の衝撃波は、該伝導性シースの該第２の側縁上の該第２の弓状切り抜きおよび前記第２の内側電極にわたって作られる、項目１に記載のデバイス。
（項目１０）
前記第１の弓状切り抜きは、前記第２の弓状切り抜きから周方向に１８０度のところに位置付けられる、項目９に記載のデバイス。
（項目１１）
前記第１の衝撃波および前記第２の衝撃波は、前記第１のワイヤの近位端および前記第２のワイヤの近位端に電圧が印加されたことに応答して開始される、項目１に記載のデバイス。
（項目１２）
前記伝導性シースは、第１の伝導性シースであり、前記デバイスは、
前記細長いチューブの周りに周方向に取り付けられた第２の伝導性シースと、
該細長いチューブの外側表面に沿って延びている絶縁共通接地ワイヤであって、前記第２の絶縁ワイヤの別の部分は、該第２のシースの第１の側縁と隣り合う第３の内側電極を形成するために除去され、該絶縁共通接地ワイヤの一部分は、該第２のシースの前記第２の側縁と隣り合う第４の内側電極を形成するために除去される、絶縁共通接地ワイヤと
をさらに備え、
高電圧が前記第１の絶縁ワイヤおよび該絶縁共通接地ワイヤにわたって印加されたとき、電流は、該第１のワイヤから該第１の伝導性シースの該第１の側縁へ、該第１の伝導性シースの該第２の側縁から該第２のワイヤへ、該第２のワイヤから該第２の伝導性シースの該第１の側縁へ、そして、該第２の伝導性シースの該第２の側縁から該絶縁共通接地ワイヤへ、流れるように構成され、
第３の衝撃波は、該第２の伝導性シースの該第１の側縁および前記第３の内側電極にわたって作られ、
第４の衝撃波は、第２の伝導性シースの該第２の側縁および前記第４の内側電極にわたって作られる、項目１に記載のデバイス。
（項目１３）
前記共通接地ワイヤは、第１の直線部分と、湾曲部分と、第２の直線部分とを備え、該第１の直線部分および該第２の直線部分は、前記細長いチューブの２つの異なる溝に配置される、項目１２に記載のデバイス。
（項目１４）
前記シースを囲むバルーンさらに備え、該バルーンは、伝導性流体で充填される、項目１に記載のデバイス。
（項目１５）
衝撃波を生成するためのデバイスであって、該デバイスは、
細長いチューブと、
各々が該細長いチューブの周りに周方向に取り付けられた、第１の伝導性シースと、第２の伝導性シースと、第３の伝導性シースと、
各々が該細長いチューブの外側表面に沿って延びている、第１の絶縁ワイヤと、第２の絶縁ワイヤと、第３の絶縁ワイヤと、絶縁共通接地ワイヤと
を備え、
該第１の絶縁ワイヤの一部分は、第１の内側電極から除去され、
該第２の絶縁ワイヤの２つの部分は、第２の内側電極および第３の内側電極から除去され、
該第３の絶縁ワイヤの２つの部分は、第４の内側電極および第５の内側電極から除去され、
該絶縁共通接地ワイヤの一部分は、第６の内側電極から除去され、
高電圧が該第１のワイヤおよび該絶縁共通接地ワイヤにわたって印加されたとき、電流は、
該第１のワイヤから該第１の導電性シースの第１の側縁へ、
該第１の伝導性シースの第２の側縁から該第２のワイヤへ、
該第２のワイヤから該第２の伝導性シースの第１の側縁へ、
該第２の伝導性シースの第２の側縁から該第３のワイヤへ、
該第３のワイヤから該第３の伝導性シースの第１の側縁へ、
該第３の伝導性シースの第２の側縁から該絶縁共通接地ワイヤへ
流れるように構成され、
第１の衝撃波は、該第１の伝導性シースの該第１の側縁および該第１の内側電極にわたって作られ、
第２の衝撃波は、該第１の伝導性シースの該第２の側縁および該第２の内側電極にわたって作られ、
第３の衝撃波は、該第２の伝導性シースの該第１の側縁および該第３の内側電極にわたって作られ、
第４の衝撃波は、第２の伝導性シースの該第２の側縁および第４の内側電極にわたって作られ、
第５の衝撃波は、該第３の伝導性シースの該第１の側縁および該第５の内側電極にわたって作られ、
第６の衝撃波は、該第３の伝導性シースの第２の側縁および該第６の内側電極にわたって作られる、デバイス。
（項目１６）
前記第３の伝導性シースの前記第１の側縁および前記第２の側縁は、同じ側縁である、項目１５に記載のデバイス。
（項目１７）
前記第１の伝導性シースの前記第１の側縁および前記第２の側縁は、異なる側縁である、項目１５に記載のデバイス。
（項目１８）
前記第２のワイヤは、第１の直線部分と、湾曲部分と、第２の直線部分とを備え、該第１の直線部分および該第２の直線部分は、前記細長いチューブの２つの異なる溝に配置される、項目１５に記載のデバイス。
（項目１９）
前記第１の衝撃波は、前記第１の伝導性シースの前記第１の側縁上の弓状切り抜きおよび前記第１の内側電極にわたって作られ、
前記第３の衝撃波は、前記第２の伝導性シースの前記第１の側縁上の弓状切り抜きおよび前記第３の内側電極にわたって作られ、
該第１の伝導性シースの該第１の側縁の該弓状切り抜きは、該第２の伝導性シースの該第１の側縁上の該弓状切り抜きから周方向に９０度のところに位置付けられる、項目１５に記載のデバイス。
（項目２０）
衝撃波を生成するためのデバイスであって、該デバイスは、
細長いチューブと、
各々が該細長いチューブの周りに周方向に取り付けられた、第１の伝導性シースと、第２の伝導性シースと、第３の伝導性シースと、第４の伝導性シースと、
各々が該細長いチューブの外側表面に沿って延びている、第１の絶縁ワイヤと、第２の絶縁ワイヤと、第３の絶縁ワイヤと、第４の絶縁ワイヤと、絶縁共通接地ワイヤとを備え、
該第１の絶縁ワイヤの一部分は、第１の内側電極を形成するために除去され、
該第２の絶縁ワイヤの２つの部分は、第２の内側電極および第３の内側電極を形成するために除去され、
該第３の絶縁ワイヤの一部分は、第５の内側電極を形成するために除去され、
該第４の絶縁ワイヤの２つの部分は、第６の内側電極および第７の内側電極を形成するために除去され、
該絶縁共通接地ワイヤの２つの部分は、第４の内側電極および第８の内側電極を形成するために除去され、
該第１のワイヤおよび該絶縁共通接地ワイヤにわたって高電圧が印加されたとき、第１の電流は、
該第１の伝導性シースの第１の側縁および該第１の内側電極にわたって第１の衝撃波を生成するために該第１のワイヤから該第１の伝導性シースの該第１の側縁へ、
該第１の伝導性シースの第２の側縁および該第２の内側電極にわたって第２の衝撃波を生成するために該第１の伝導性シースの該第２の側縁から該第２のワイヤへ、
該第２の伝導性シースの第１の側縁および該第３の内側電極にわたって第３の衝撃波を生成するために該第２のワイヤから該第２の伝導性シースの該第１の側縁へ、
該第２の伝導性シースの第２の側縁および該第４の内側電極にわたって第４の衝撃波を生成するために該第２の伝導性シースの第２の側縁から該絶縁共通接地ワイヤへ
流れるように構成され、
該第３のワイヤおよび該絶縁共通接地ワイヤにわたって高電圧が印加されたとき、第２の電流は、
該第３の伝導性シースの第１の側縁および該第５の内側電極にわたって第５の衝撃波を生成するために該第３の絶縁ワイヤから該第３の伝導性シースの該第１の側縁へ、
該第３の伝導性シースの第２の側縁および該第６の内側電極にわたって第６の衝撃波を生成するために該第３の伝導性シースの該第２の側縁から該第４の絶縁ワイヤへ、
該第４の伝導性シースの第１の側縁および該第７の内側電極にわたって第７の衝撃波を生成するために該第４の絶縁ワイヤから該第４の伝導性シースの該第１の側縁へ、
該第４の伝導性シースの第２の側縁および該第８の内側電極にわたって第８の衝撃波を生成するために該第４の伝導性シースの該第２の側縁から該絶縁共通接地ワイヤへ
流れるように構成される、デバイス。
（項目２１）
前記第１の伝導性シースの前記第１の側縁および前記第２の側縁は、異なる側縁である、項目２０に記載のデバイス。
（項目２２）
前記第４の伝導性シースの前記第１の側縁および前記第２の側縁は、同じ側縁である、項目２０に記載のデバイス。
【手続補正３】
【補正対象書類名】図面
【補正対象項目名】図１
【補正方法】変更
【補正の内容】
【図１】
2021503344.tif 000001